【手続補正書】
【提出日】平成23年11月28日(2011.11.28)
【手続補正１】
【補正対象書類名】特許請求の範囲
【補正対象項目名】全文
【補正方法】変更
【補正の内容】
【特許請求の範囲】
【請求項１】
文書を処理する方法であって、
ユーザに関連する端末に表示されるべき第１文書のデータを遠隔システムから受け取り、
前記第１文書のデータにおいて、
（ａ）第１広告、
（ｂ）コンテンツへの参照、又は
（ｃ）（ａ）及び（ｂ）の両方
の自動識別を少なくとも部分的に行わせ、
第２広告に関連する広告主に関連し、メモリからアクセスされる情報、及び
ユーザに関連する情報
に少なくとも部分的に基づいて、前記第２広告の選択を少なくとも部分的に行わせ、
前記ユーザに関連する端末に関連するウェブブラウザに前記第１文書を出力した後に、
前記第１広告が前記第２広告で置き換えられるようにすること、
前記第１広告が前記第２広告で見えにくくなるようにすること、又は
コンテンツへの前記参照が前記第２広告への参照で置き換えられるようにすること
を少なくとも部分的に行い、前記ユーザに関連する端末に前記第１文書が表示されると、前記第２広告が表示され、前記第１広告又は前記コンテンツが見えなくなる
方法。
【請求項２】
前記置き換えは、
前記コンテンツへの参照を削除すること、及び
前記第２広告への参照を挿入すること
によって行われる
請求項１に記載の方法。
【請求項３】
前記第２広告は、前記第１広告のサイズへの関連が示されていることに部分的に基づいて選択される
請求項１又は２に記載の方法。
【請求項４】
前記ユーザに関する人口統計情報、
前記ユーザが関心のある領域の識別、又は
前記ユーザに関する人口統計情報及び前記ユーザが関心のある領域の識別の両方
を含み、前記ユーザに関連するユーザプロファイルが、少なくとも部分的にアクセスされるようにすることを更に有し、
前記第２広告は、前記ユーザプロファイルに少なくとも部分的に基づいて選択される
請求項１〜３のいずれか１項に記載の方法。
【請求項５】
広告の修正を受け入れるように奨励金をユーザに提供する
ことを更に有する請求項１〜４のいずれか１項に記載の方法。
【請求項６】
ユーザが前記第１広告が表示されるようにすることが可能な制御を、前記第２広告に関連して提供する
ことを更に有する請求項１〜５のいずれか１項に記載の方法。
【請求項７】
ユーザが前記第２広告の代わりに前記第１広告が表示されるようにすることが可能な制御を提供する
ことを更に有する請求項１〜６のいずれか１項に記載の方法。
【請求項８】
前記置き換えは、前記第１広告を前記第２広告でオーバーレイすることによって行われる
請求項１〜７のいずれか１項に記載の方法。
【請求項９】
前記置き換えは、
前記第１広告を前記第２広告でオーバーレイし、
前記第１広告に関連する音声がある場合には、前記第１広告に関連する音声を出さない
ことによって行われる
請求項１〜８のいずれか１項に記載の方法。
【請求項１０】
前記置き換えは、
第１広告画像を識別し、
前記第１広告画像を除去し、
前記第２広告を挿入する
ことによって行われる
請求項１〜９のいずれか１項に記載の方法。
【請求項１１】
前記第２広告はプロクシノードから受け取られる
請求項１〜１０のいずれか１項に記載の方法。
【請求項１２】
前記第１広告を置き換える前記第２広告に少なくとも部分的に応じて、少なくとも部分的に、ユーザアカウントに関して預金又は残高が作られるようにする
ことを更に有する請求項１〜１１のいずれか１項に記載の方法。
【請求項１３】
前記第２広告の第１部分は第１ピアノードから受け取られ、
前記第２広告の第２部分は第２ピアノードから受け取られ、
前記第１部分と前記第２部分とは結合されて前記第２広告を形成する
請求項１〜１２のいずれか１項に記載の方法。
【請求項１４】
請求項１〜１３のいずれか１項に記載の方法を実行する
コンピュータシステム。
【請求項１５】
請求項１〜１３のいずれか１項に記載の方法をコンピュータシステムに実行させる、コンピュータで実行可能な命令を有する
コンピュータ読み取り可能な媒体。
【請求項１６】
ユーザに対して表示するために検索結果を処理する方法であって、
１つ以上のネットワーク資源参照を含む複数の検索結果項目を含む、検索クエリに応じて提供される検索結果を、遠隔サーチエンジンからネットワークを介してコンピュータシステムで受け取り、
機関によって申し込まれたサービス及び前記機関によって提供された前記選択されたネットワーク資源参照に関係する指定に少なくとも部分的に基づいて選択される第１ネットワーク資源参照を、少なくとも１つの演算デバイスを用いて選択し、
前記受け取られた検索結果がユーザ端末に関連するウェブブラウザに出力された後、少なくとも１つの演算デバイスを用いて、前記受け取られた検索結果を修正して、修正された検索結果を生成し、
前記修正された検索結果は、前記修正された検索結果が前記ユーザ端末に関連するウェブブラウザ上での表示のために出力されるときに、前記第１ネットワーク資源参照が第１位置に表示されるような、前記選択された第１ネットワーク資源参照を含み、
前記第１位置は、前記選択されたネットワーク資源参照に関する前記指定を提供した前記機関によって申し込まれたサービスに少なくとも部分的に基づいて選択され、
前記遠隔サーチエンジンからの前記受け取られた検索結果が前記修正なしに前記ユーザ端末に表示された場合には、前記第１ネットワーク資源参照は、前記第１位置には存在しない
方法。
【請求項１７】
前記受け取られた検索結果が前記修正なしに前記ユーザ端末上に表示された場合には前記第１ネットワーク資源参照が前記第１位置とは異なる第２位置に表示されるように、前記第１ネットワーク資源参照は、前記検索位置に応じて前記遠隔サーチエンジンから受け取られた前記検索結果に含まれ、
前記第１位置は前記第２位置に比べて価値の高い位置である
請求項１６に記載の方法。
【請求項１８】
前記コンピュータシステムは、前記サーチエンジンから離れた位置にあって、
前記ユーザ端末についてのピアノード、
前記ユーザ端末、又は
ネットワーク機器であり、
前記サーチエンジンは、前記ユーザ端末からの前記クエリに応じて前記検索結果を生成する
請求項１６又は１７に記載の方法。
【請求項１９】
前記識別された位置は、前記機関によって指定された第１基準を満たし、
前記ネットワーク資源参照は、起動されたときに、前記機関によって指定されたコンテンツが前記ユーザ端末を介して表示されるようにする
請求項１６〜１８のいずれか１項に記載の方法。
【請求項２０】
前記ユーザによって前記遠隔サーチエンジンに提供された検索クエリ用語を受け取ることを更に有し、
前記サーチエンジンからの前記検索結果は、前記検索クエリ用語に応じて提供され、
前記選択基準は、前記検索クエリに関する適合性を含む
請求項１６〜１９のいずれか１項に記載の方法。
【請求項２１】
前記選択されたネットワーク資源参照が前記複数の検索結果項目の少なくとも一部における前記識別された位置に現れるようにされたことを示す報告を生成し、
前記選択されたネットワーク資源参照に関する指定を提供した前記機関に前記報告を送信する
ことを更に有する
請求項１６〜２０のいずれか１項に記載の方法。
【請求項２２】
前記修正は、前記サーチエンジンの運営者と協力することなく行われる
請求項１６〜２１のいずれか１項に記載の方法。
【請求項２３】
請求項１６〜２２のいずれか１項に記載の方法を実行する
コンピュータシステム。
【請求項２４】
請求項１６〜２２のいずれか１項に記載の方法をコンピュータシステムに実行させる、コンピュータで実行可能な命令を有する
コンピュータ読み取り可能な媒体。
【請求項２５】
ネットワーク通信を開始する方法であって、
要求ユーザからリクエストを受け取って、前記要求ユーザに関連するウェブサイトのランキングを向上させ、
ランキングを向上させるために、前記受け取られたリクエストに応じて、それぞれが演算デバイスを含む第１の複数のノードにネットワークを介して連絡を送信し、
前記連絡は、前記第１の複数のノードに、
（ａ）検索リクエストを自動的に発行すること、
（ｂ）検索結果内のリンクを自動的に起動すること、
（ｃ）ユニフォーム・リソース・ロケーター・リクエストを自動的に発行すること、
（ｄ）送出操作を自動的に行うこと、若しくは
（ｅ）（ａ）、（ｂ）、（ｃ）、又は（ｄ）のいずれかの組合せ
を少なくとも部分的に行わせ、
前記第１の複数のノードが（ａ）、（ｂ）、（ｃ）、（ｄ）又は（ｅ）を実行した回数に関する情報を格納し、
前記第１の複数のノードが（ａ）、（ｂ）、（ｃ）、（ｄ）又は（ｅ）を実行した回数に関する情報を、ネットワークを介して送信する
方法。
【請求項２６】
第１期間内の実質的にランダムな時間に、前記第１の複数のノードに
（ａ）、（ｂ）、（ｃ）、（ｄ）又は（ｅ）
を実行させる
ことを更に有する請求項２５に記載の方法。
【請求項２７】
前記検索リクエスト、起動されたリンク、又はユニフォーム・リソース・ロケーター・リクエスト、又は送出の結果を前記第１の複数のノードに表示することなく、前記第１の複数のノードに
（ａ）、（ｂ）、（ｃ）、（ｄ）又は（ｅ）
を実行させる
ことを更に有する請求項２５又は２６に記載の方法。
【請求項２８】
前記第１の複数のノードの第１ノードが（ａ）、（ｂ）、（ｃ）、（ｄ）又は（ｅ）を実行したということが示されていることをメモリに格納し、
前記第１の複数のノードの前記第１ノードが（ａ）、（ｂ）、（ｃ）、（ｄ）又は（ｅ）を実行したということが示されていることに少なくとも部分的に応じて、前記ユーザ端末に関連するユーザに関連するアカウントに関して預金又は残高が作られるべきであるということが示されていることを格納する
ことを更に有する請求項２５〜２７のいずれか１項に記載の方法。
【請求項２９】
前記連絡は、少なくとも部分的に、前記第１の複数のノードに、少なくとも自動的に送出を行わせる
請求項２５〜２８のいずれか１項に記載の方法。
【請求項３０】
前記第１の複数のノードの第１ノードは、前記第１の複数のノードの第２ノードとは異なる時間に、（ａ）、（ｂ）、（ｃ）、（ｄ）又は（ｅ）を実行する
請求項２５〜２９のいずれか１項に記載の方法。
【請求項３１】
請求項２５〜３０のいずれか１項に記載の方法を実行する
コンピュータシステム。
【請求項３２】
請求項２５〜３０のいずれか１項に記載の方法をコンピュータシステムに実行させる、コンピュータで実行可能な命令を有する
コンピュータ読み取り可能な媒体。